(57)【特許請求の範囲】
【請求項１】
グリル庫と、前記グリル庫と連通する排気口が開設された天板と、前記排気口を覆うように前記天板上に着脱自在に設置される下方開放の排気口カバーとを有する調理用コンロであって、
前記排気口カバーは、通気口が形成された上面部と、前記上面部の周縁から下方に延在し、且つ前記排気口よりも大きな略長円形又は略矩形の下端部を構成する側壁とを有し、
前記排気口カバーは、その全体が琺瑯加工されており、
前記下端部は、前後及び左右方向で相互に対向する２組の側辺のうち少なくとも１組の各側辺に、内方に曲げ加工された前記天板に接地する天板接地部と、前記下端部の２組の側辺のうち前記天板接地部が設けられている組と同一及び／または異なる組の各側辺であって、前記天板接地部と異なる位置に、内方に突出するように曲げ加工された突出片部及び前記突出片部の突出端から前記排気口内に垂下するように曲げ加工された垂下片部を有するガタ規制用爪部とを備え、
前記ガタ規制用爪部の垂下片部は、前記垂下片部の外面が前記排気口の開口端近傍に位置するように設けられ、
前記天板接地部と前記ガタ規制用爪部とは、前記天板接地部の下面が前記ガタ規制用爪部の突出片部の下面よりも下方に位置し、前記ガタ規制用爪部の突出片部の下面が前記天板に接地しないように設けられており、
前記排気口の開口端に、前記開口端から内方に突出するように前記ガタ規制用爪部の垂下片部の側部と係合可能な突起部が形成されている調理用コンロ。
【請求項２】
請求項１に記載の調理用コンロにおいて、
前記排気口は、前記天板の奥側中央に横長に設けられ、
前記天板接地部は、前記下端部の前後方向で相互に対向する１組の各側辺の少なくとも中央部略全域に渡って設けられている調理用コンロ。
【請求項３】
請求項１または２に記載の調理用コンロにおいて、
前記天板接地部は、前記下端部を構成する側壁の先端にヘミング加工による曲げ加工を施して形成されている調理用コンロ。
【請求項４】
請求項１〜３のいずれか１項に記載の調理用コンロにおいて、
前記ガタ規制用爪部は、前記天板接地部が設けられている組と同一の組の各側辺に設けられており、
前記天板接地部と前記ガタ規制用爪部とが形成されている前記下端部は、前記天板接地部と前記ガタ規制用爪部との間に切り欠き部を有する調理用コンロ。
【発明の詳細な説明】
【技術分野】
【０００１】
本発明は、グリル庫と連通する天板上に開設された排気口を排気口カバーで覆う調理用コンロに関する。
【背景技術】
【０００２】
コンロ本体内に魚などを焙焼するためのグリル庫が内蔵されている調理用コンロでは、コンロ本体の上面の天板にグリル庫と連通する排気口を設け、グリル庫内で発生した油煙や燃焼排気を該排気口を介して外部に排出させている。
【０００３】
一般に、上記排気口には、天板から調理汁や塵埃などのグリル庫内への侵入を防止するために排気口を覆うように排気口カバーが設けられている。この種の排気口カバーとしては、上面に燃焼排気等を通過させる通気口を穿設するとともに、排気口の形状に合わせて下方に開放するトレイ状等に成形した鉄などからなる金属製基材を、美観向上や天板の傷つき防止のために、釉薬中に浸漬して、表面を琺瑯加工したものが汎用されている。
【０００４】
しかしながら、天板に接地する排気口カバーの下端部が端面であると、該端面には釉薬が十分に付着し難い。排気口カバーは清掃等のために天板上で着脱自在に配置されている必要があるため、排気口の開口周縁でガタ付きが生じやすい。その結果、ステンレス製の天板などを有する調理用コンロの場合、粗い金属製基材の端面が天板に擦れて、天板が顕著に傷つくという問題がある。
【０００５】
排気口カバーの擦れによる天板の傷つきを防止するため、例えば、下端部から内方に延在するリブと、リブから下方に延在する垂下部とを有するＬ字状の取り付け部材を下端部の前後方向に対向する各側辺に複数設けた排気口カバーを有する調理用コンロが提案されている（例えば、特許文献１）。この調理用コンロによれば、リブの平面が天板に接地するため、排気口カバーが天板に擦れても、天板の傷つきを防止することができる。
【先行技術文献】
【特許文献】
【０００６】
【特許文献１】実開平５−１９８１５号公報
【発明の概要】
【発明が解決しようとする課題】
【０００７】
しかしながら、上記のような下端部からＬ字状に下方に延在した取り付け部材を有する金属製基材に琺瑯加工を行うと、リブと垂下部とのコーナー部に釉薬が表面張力により溜まり、焼成処理後に、該コーナー部に琺瑯溜まりが形成される。その結果、天板に接地するリブの平面の高さに違いが発生し、高さ方向でガタ付きが生じやすいという問題がある。
【０００８】
また、特許文献１の排気口カバーでは、下端部の前後方向に対向する側辺にそれぞれ取り付け部材が設けられているため、垂下片部が排気口の開口端に近接しており、排気口カバーの前後方向のガタ付きを抑えることができる一方、排気口カバーは天板に着脱自在に設置されているため、調理容器などが排気口カバーに接触すると動かされやすい。それゆえ、上記特許文献１のような排気口カバーでは、左右方向で排気口カバーにガタ付きが生じやすいという問題がある。この場合、排気口カバーの下端部の前後方向の側辺だけでなく、左右方向の側辺にも取り付け部材を設けることが考えられるが、上記した琺瑯加工による各取り付け部材のリブの高さの相違が大きくなり、高さ方向でのガタ付きが生じやすくなる。
【０００９】
本発明は上記課題を解決するためになされたものであり、本発明の目的は、排気口カバーの下端部が天板に擦れて天板に傷が付く不都合を回避しながら、排気口カバーを天板上でガタ付くことなく安定した状態で設置することができる調理用コンロを提供することにある。
【課題を解決するための手段】
【００１０】
本発明は、グリル庫と、前記グリル庫と連通する排気口が開設された天板と、前記排気口を覆うように前記天板上に着脱自在に設置される下方開放の排気口カバーとを有する調理用コンロであって、
前記排気口カバーは、通気口が形成された上面部と、前記上面部の周縁から下方に延在し、且つ前記排気口よりも大きな略長円形又は略矩形の下端部を構成する側壁とを有し、
前記排気口カバーは、その全体が琺瑯加工されており、
前記下端部は、前後及び左右方向で相互に対向する２組の側辺のうち少なくとも１組の各側辺であって、前記天板接地部と異なる位置に、内方に曲げ加工された前記天板に接地する天板接地部と、前記下端部の２組の側辺のうち前記天板接地部が設けられている組と同一及び／または異なる組の各側辺に、内方に突出するように曲げ加工された突出片部及び前記突出片部の突出端から前記排気口内に垂下するように曲げ加工された垂下片部を有するガタ規制用爪部とを備え、
前記ガタ規制用爪部の垂下片部は、前記垂下片部の外面が前記排気口の開口端近傍に位置するように設けられ、
前記天板接地部と前記ガタ規制用爪部とは、前記天板接地部の下面が前記ガタ規制用爪部の突出片部の下面よりも下方に位置し、前記ガタ規制用爪部の突出片部の下面が前記天板に接地しないように設けられており、
前記排気口の開口端に、前記開口端から内方に突出するように前記ガタ規制用爪部の垂下片部の側部と係合可能な突起部が形成されている調理用コンロである。
【００１１】
上記調理用コンロによれば、排気口カバーの下端部に天板に接地する天板接地部が設けられているが、曲げ加工されて形成された天板接地部には金属製基材の端面が露出しないから、琺瑯加工によって曲げ加工された部分にも十分に釉薬が付着する。そのため、天板接地部と天板とが接触しても、天板の傷つきを防止することができる。また、各天板接地部は琺瑯溜まりが形成されるコーナー部を有していないから、下端部の側辺に天板接地部が複数設けられていても、均一な高さを有する天板接地部を形成できる。そして、上記天板接地部は、前後及び左右方向で相互に対向する２組の側辺のうち少なくとも１組の各側辺に設けられているから、天板接地部に起因する天板上での排気口カバーのガタ付きを防止できる。
【００１２】
さらに、上記排気口カバーには、下端部に内方へ突出するように曲げ加工された突出片部及び突出片部の突出端から排気口内に垂下するように曲げ加工された垂下片部を有するガタ規制用爪部が形成されており、該垂下片部の外面が排気口の開口端近傍に位置するように設けられているから、排気口カバーに外力が加わっても、垂下片部が排気口の開口端に接触し、垂下片部と排気口の開口端とが対向する方向のガタ付きを阻止することができる。
【００１３】
そして、上記の天板接地部とガタ規制用爪部とは、天板接地部の下面がガタ規制用爪部の突出片部の下面よりも下方に位置するように設けられているから、琺瑯加工を行う際に、釉薬が曲げ加工された突出片部と垂下片部とのコーナー部に表面張力により滞留し、それによってコーナー部に琺瑯溜まりが生じても、曲げ加工により形成された天板接地部のみが天板に対して接触する態様で天板上に設置される。その結果、ガタ規制用爪部の突出片部の下面や琺瑯溜まりの部分が天板に接触しないから、琺瑯溜まりに起因する高さ方向のガタ付きを防止することができる。
【００１５】
上記調理用コンロによれば、排気口の開口端に、開口端から内方に突出するようにガタ規制用爪部の垂下片部の側部と係合可能な突起部が形成されているから、垂下片部の横方向のガタ付きを防止することができる。
【００１６】
上記調理用コンロにおいて、好ましくは
前記排気口は、前記天板の奥側中央に横長に設けられ、
前記天板接地部は、前記下端部の前後方向で相互に対向する１組の各側辺の少なくとも中央部略全域に渡って設けられる。
【００１７】
上記調理用コンロによれば、天板接地部が、排気口の形状に合わせて、下端部の前後方向で相互に対向する１組の各側辺の中央部略全域に渡って設けられているから、正面視で排気口カバーの下端部と天板との間に隙間が見え難く、美観を向上しつつ、排気口カバーのガタ付きを防止することができる。
【００１８】
上記調理用コンロにおいて、
前記天板接地部は、前記下端部を構成する側壁の先端にヘミング加工による曲げ加工を施して形成することができる。
【００１９】
上記調理用コンロによれば、天板接地部を下端部から内方に延在させることなく、側壁の先端を内方に折り返すことにより金属製基材の端面が下端部で露出しない天板接地部を形成することができる。
【００２０】
上記調理用コンロにおいて、好ましくは、
前記ガタ規制用爪部は、前記天板接地部が設けられている組と同一の組の各側辺に設けられており、
前記天板接地部と前記ガタ規制用爪部とが形成されている前記下端部は、前記天板接地部と前記ガタ規制用爪部との間に切り欠き部を有する。
【００２１】
上記調理用コンロによれば、天板接地部とガタ規制用爪部とは下端部の対向する同一の組の各側辺に形成されているが、天板接地部とガタ規制用爪部との間に切り欠き部が形成されているから、下端部において、天板接地部とガタ規制用爪部とを不連続に形成することができ、それゆえ天板接地部の下面をガタ規制用爪部の突出片部の下面よりも下方に形成することができる。
【発明の効果】
【００２２】
以上のように、本発明によれば、排気口カバーによる天板の傷つきを防止できるとともに、天板上での排気口カバーのガタ付きを防止することができる。
【図面の簡単な説明】
【００２３】
【図１】本発明の実施の形態に係る排気口カバーを有するガスコンロの構成の一例を示す概略断面図である。
【図２】本発明の実施の形態に係る排気口カバーの一例を示す概略斜視図である。
【図３】本発明の実施の形態に係る排気口カバーの一例を示す要部拡大断面図である。
【図４】本発明の実施の形態に係る排気口カバーと排気口との関係を示す要部概略斜視図である。
【図５】本発明の実施の形態に係る排気口カバーの他の一例を示す概略斜視図である。
【発明を実施するための形態】
【００２４】
以下に、本発明を実施するための最良の形態について図面を参照しながら説明する。
【００２５】
図１に示すものは、後方排気式のグリル付きガスコンロ１であり、魚等の被調理物を加熱調理するためのグリル庫２がコンロ本体内に配置されている。このグリル庫２の正面には、開閉自在なグリル扉２１が設けられてあり、グリル扉２１を引き出せば、グリル庫２内のグリル皿２３が焼網２２とともに引き出される。
【００２６】
グリル庫２内の上部には上火バーナ２４が設けられており、焼網２２の下方におけるグリル庫２の左右の側壁下方には前後方向に沿って下火バーナ２５が設けられている。上火バーナ２４は、多数の炎孔を形成したセラミック製の燃焼板を有する表面燃焼式バーナで構成され、燃焼板を下方に向けた姿勢でグリル庫２内の上部に配置されている。下火バーナ２５は、ブンゼン式バーナで構成され、複数の炎孔をグリル庫２の中央に向けた姿勢で左右の側壁下方に配置されている。
【００２７】
グリル庫２の後方には、グリル庫２内で発生した油煙や上火バーナ２４及び下火バーナ２５からの燃焼排気が流れる排気筒２６が設けられてあり、この排気筒２６の下流端が、コンロ本体の天板３に開口させた排気口３０となっている。この排気口３０を上方から覆うように排気口カバー５が天板３に着脱自在に設置される。
【００２８】
図２に示すように、本発明の実施の形態に係る排気口カバー５は、多数の通気口５３が形成された略長方形状の上面部５１と、上面部５１の周縁から下方に延在する側壁５２とを有しており、下方開放の薄型トレイ状の形状を有している。また、この排気口カバー５は、上記形状に成形された金属製基材を釉薬中に浸漬し、焼成処理することにより、全体に琺瑯加工が施されており、排気口カバー５の下端部５４は、排気口３０よりも若干大きな略長方形状に形成されている。
【００２９】
図２及び図３に示すように、下端部５４の前後及び左右方向で相互に対向する２組の各側辺には、下端部５４を構成する側壁５２の先端を内方にヘミング加工することにより形成された天板接地部５５がガタ規制用爪部５７とその両端を除いた全域に設けられている。これにより、金属製基材の端面が下端部５４に露出せず、天板３上で排気口カバー５がずれても、天板３の傷つきが防止される。また、下端部５４の対向する２組の各側辺に天板接地部５５が形成されているから、排気口カバー５を天板３上に設置したときに、排気口カバー５の傾きが防止され、ガタ付きを防止できる。なお、天板接地部５５は、下端部５４の前後及び左右方向で相互に対向する２組の各側辺のうち少なくとも１組の各側辺に設けてもよい。
【００３０】
側壁５２の先端を曲げ加工して天板接地部５５を形成する方法としては、釉薬が付着し難い金属製基材の端面が琺瑯加工後に下端部５４に露出しない方法であれば、特に制限されない。例えば、側壁５２の先端をカーリング加工することにより天板接地部５５を形成してもよい。また、後述するように、側壁５２の先端を内方に延在するように曲げ加工した折り返し部を有する天板接地部を形成してもよい。
【００３１】
天板接地部５５の長さは、排気口カバー５が天板３上で安定に設置できる長さであれば特に限定されないが、図２に示すように少なくとも前後方向で対向する各側辺の中央部略全域に天板接地部５５を形成すれば、より安定した状態で排気口カバー５を設置できるとともに、正面視で天板３と排気口カバー５との間の隙間が狭くなり、ガスコンロ１の美観を向上することができる。なお、対向する側辺にそれぞれ天板接地部５５が設けられていれば、各側辺で長さの異なる天板接地部５５を設けてもよい。
【００３２】
排気口カバー５は、図２に示すように、下端部５４の前後方向に対向する各側辺であって、左右方向の両端部に、ガタ規制用爪部５７を有している。このガタ規制用爪部５７は、下端部５４を構成する側壁５２から内方へ水平に突出するように曲げ加工された突出片部５７ａと、突出片部５７ａの突出端から排気口３０内に垂下するように曲げ加工された垂下片部５７ｂとを有しており、断面視で略Ｌ字状に形成されている。
【００３３】
図３に示すように、垂下片部５７ｂは、垂下片部５７ｂの外面が排気口３０の開口端３０ａ近傍に位置するように設けられている。これにより、排気口カバー５が前後方向に動かされても垂下片部５７ｂが排気口３０の開口端３０ａに接触するから、垂下片部５７ｂと排気口３０の開口端３０ａとが対向する前後方向のガタ付きを防止することができる。
【００３４】
また、天板接地部５５の下面は、突出片部５７ａの下面よりも排気口３０側の下方に位置するように設けられている。既述したように、琺瑯加工された排気口カバー５を作製する場合、曲げ加工された突出片部５７ａと垂下片部５７ｂとを有する金属製基材を釉薬中に浸漬するため、突出片部５７ａと垂下片部５７ｂとのコーナー部に表面張力により釉薬が溜まり、琺瑯溜まりが形成される。その結果、ガタ規制のために設けた各突出片部５７ａは、高さの異なる水平面を有して形成される。従って、該突出片部５７ａが天板３に接地すると、排気口カバー５にガタ付きが生じやすい。
【００３５】
これに対して、本実施の形態の排気口カバー５によれば、高さ方向において、天板３上で天板接地部５５の下面が最下端に位置し、天板接地部５５の下面がガタ規制用爪部５７の突出片部５７ａの下面よりも下方に位置するように設けられているから、琺瑯加工に起因するガタ付きを防止することができる。
【００３６】
天板接地部５５の下面と突出片部５７ａの下面の高さの相違は、琺瑯加工の条件によって異なるが、形成される琺瑯溜まりの高さより大きければ特に限定されない。
【００３７】
ガタ規制用爪部５７は、下端部５４の対向する側辺に設けられていれば、天板接地部５５が設けられている組と同一の組の側辺に設けられていてもよいし、異なる組の側辺に設けられていてもよい。なお、図２に示すように、天板接地部５５とガタ規制用爪部５７とを同一の側辺に形成する場合には、下端部５４において、天板接地部５５とガタ規制用爪部５７との間に切り欠き部５８が形成される。これにより、天板接地部５５とガタ規制用爪部５７とを不連続に形成することができ、天板接地部５５の下面をガタ規制用爪部５７の突出片部５７ａの下面よりも下方に形成することができる。
【００３８】
図４に示すように、排気口３０は、その開口端３０ａが一対の直線状の長辺と、一対の円弧状の短辺とからなる横長長円形状を有しており、長辺が天板３の長辺に沿って形成されている。この排気口３０の全体を覆うように排気口カバー５が設置される。なお、排気口３０は、排気筒２６の形状や使用目的に合せて、開口端３０ａが一対の直線状の長辺と一対の直線状の短辺とからなる略長方形状を有していてもよいし、四辺が略同一の長さの略正方形状を有していてもよい。
【００３９】
また、排気口３０の開口端３０ａには、内方に突出する突起部３１が形成されている。この突起部３１は、排気口３０の前後方向の開口端３０ａにおいて、上記の排気口カバー５を排気口３０上に設置した際に、ガタ規制用爪部５７の垂下片部５７ｂの側部５７ｃと係合可能な位置に設けられている。これにより、垂下片部５７ｂの横方向におけるガタ付きを防止することができる。
【００４０】
図５は、本実施の形態に係る排気口カバーの他の一例を示す概略斜視図である。なお、図２と同一の部分については同一の符号を使用して説明を省略する。
【００４１】
図５に示すように、この排気口カバー５ａは、下端部５４を構成する側壁５２の先端を曲げ加工することにより形成された内方に延在する折り返し部を有する天板接地部５５ａを備えている。この天板接地部５５ａは、折り返し部の下面が、上記と同様に、ガタ規制用爪部５７の突出片部５７ａの下面よりも下方に位置するように形成される。このような折り返し部を有する天板接地部５５ａを設けることにより、折り返し部の平面が天板３に接地するから、排気口カバー５ａの擦れによる天板３の傷つきを防止できる。特に、この排気口カバー５ａによれば、下端部５４の一部のみを曲げ加工することにより天板接地部５５ａを形成できる。
【００４２】
なお、上記実施の形態では、天板３の奥側中央に排気口３０が形成されたガスコンロ１について説明したが、天板３の前後及び左右方向の中央に排気口３０が形成されていてもよい。また、上記の実施の形態では、ガスコンロについて説明したが、ＩＨコンロなどの調理用コンロであってもよい。
【符号の説明】
【００４３】
１  グリル付きガスコンロ（調理用コンロ）
２  グリル庫
３  天板
３０  排気口
３０ａ  開口端
３１  突起部
５，５ａ  排気口カバー
５１  上面部
５２  側壁
５３  通気口
５４  下端部
５５，５５ａ  天板接地部
５７  ガタ規制用爪部
５７ａ  突出片部
５７ｂ  垂下片部
５７ｃ  側部
５８  切り欠き部
【図１】
0005511740.tif 000002
【図２】
0005511740.tif 000003
【図３】
0005511740.tif 000004
【図４】
0005511740.tif 000005
【図５】
0005511740.tif 000006